(57)【要約】【課題】  組立が簡単で、操作ストロークの設定が容易な押釦スイッチを提供する。【解決手段】  収納部１ａを有するハウジング１と、ハウジング１の収納部１ａ内に配設された固定接点２ａ、２ｂ、２ｃと、固定接点２ａ、２ｂ、２ｃと接離する反転可能な膨出部５ａを有する可動接点５と、開口部８ａを有し、開口部８ａを通して可動接点５が操作されると共に、ハウジング１の収納部１ａを覆うカバー８とを備え、可動接点５が収納部１ａに配設された際に、カバー８の開口部８ａ近傍に、可動接点５の膨出部５ａを下方へ付勢して可動接点５の膨出部５ａの高さを規制する規制手段８ｂを配置し、規制手段８ｂにより被押圧時の可動接点５の移動ストロークを調整するようにした。【選択図】        図２
2005056724.tif 000002
【特許請求の範囲】
【請求項１】
収納部を有するハウジングと、このハウジングの収納部内に配設された固定接点と、この固定接点と接離する反転可能な膨出部を有する可動接点と、開口部を有し、この開口部を通して前記可動接点が操作されると共に、前記ハウジングの収納部を覆うカバーとを備え、前記可動接点が前記収納部に配設された際に、前記カバーの開口部近傍に、前記可動接点の膨出部を下方へ付勢して前記可動接点の膨出部の高さを規制する規制手段を配置し、この規制手段により被押圧時の前記可動接点の移動ストロークを調整するようにしたことを特徴とする押釦スイッチ。
【請求項２】
前記規制手段は、前記カバーの開口部周縁を下方に折り曲げて形成した段差部により構成したことを特徴とする請求項１記載の押釦スイッチ。
【請求項３】
前記ハウジングと前記カバーとの間に防塵シートを備え、前記規制手段は、前記カバーの開口部の全周に渡って形成され、前記可動接点の膨出部を前記防塵シートを介して下方へ付勢したことを特徴とする請求項１、又は２記載の押釦スイッチ。
【請求項４】
前記ハウジングには第１及び第２の可動接点を備え、前記ハウジングの収納部に上下２段に配置されると共に、上側に配置された前記第１の可動接点の膨出部の頂部の裏面と、下側に配置された前記第２の可動接点の膨出部の頂部との間隔を、前記規制手段によって規制することにより被押圧時の前記第１の可動接点の移動ストロークを調整するようにしたことを特徴とする請求項１記載の押釦スイッチ。
【発明の詳細な説明】
【技術分野】
【０００１】
本発明は、押圧されることにより可動接点が反転して接点の接離を行なう押釦スイッチに係り、特に可動接点の構造に関する。
【背景技術】
【０００２】
従来の押釦スイッチとしては、収納部を有するハウジングと、このハウジングの収納部に配設された複数の固定接点と、この複数の固定接点上に２段に配設された上側可動接点及び下側可動接点と、前記ハウジングの上面に取り付けられたカバーシート、及びフレームとから構成されたものが知られている（例えば、特許文献１参照）。
【０００３】
以下、従来の押釦スイッチの構造を図に基づいて説明する。
図１１は従来の押釦スイッチの平面図、図１２は従来の押釦スイッチの断面図である。
【０００４】
図において、ハウジング５１は合成樹脂などの絶縁材で内部に収納部５１ａを有する上面が開口された箱状に形成されている。この収納部５１ａ中央には導電性の金属材からなる中央固定接点５２ａが、またこれを挟んで対向する位置には第１周辺固定接点５２ｂ、及び第２周辺固定接点５２ｃがそれぞれ配設されている。また、ハウジング５１の外側面には、それぞれの固定接点５２ａ、５２ｂ、５２ｃから導出された接続端子５３ａ、５３ｂ、５３ｃが設けられている。
【０００５】
下部可動接点５４は導電性の金属板で円形に形成され、中央に反転可能なドーム状の膨出部５４ａを有し、膨出部５４ａの頂部下面が中央固定接点５２ａと接触する中央接点部となっている。また、上部可動接点５５は同じく導電性の金属板で中央に反転可能な膨出部５５ａを有するドーム状に形成されている。
【０００６】
下部可動接点５４はドーム状の膨出部５４ａが前記収納部５１ａの中央固定接点５２ａに対向されて配置され、周縁部が第１周辺固定接点５２ｂに当接している。また、下部可動接点５４の上面側に貫通孔５６ａを有する環状の粘着シート５６が貼着され、下部可動接点５４を保持している。上部可動接点５５は膨出部５５ａ中央を下部可動接点５４の上面を覆うように対向して配置され、周縁部が第２周辺固定接点５２ｃに当接している。
【０００７】
前記粘着シート５６の貫通孔５６ａから下部可動接点５４の膨出部５４ａ頂部が露出するので上部可動接点５５との接触が可能となり、下部可動接点５４と上部可動接点５５とがスイッチングの導通経路として使用することが可能となっている。
【０００８】
収納部５１ａの開口部には上部可動接点５５の上面を覆うように樹脂シート製のカバーシート５７が設けられ、このカバーシート５７に上部可動接点５５のドーム状の膨出部５５ａ上面が貼着されている。フレーム５８は板状の金属板で形成され、その中央に大きめの窓孔部５８ａが設けられており、このフレーム５８とハウジング５１の間にカバーシート５７が介在され、窓孔部５８ａからカバーシート５７の一部が露出されている。
【０００９】
上記構成の押釦スイッチは、非押圧操作の初期状態では、上部可動接点５５のドーム状膨出部５５ａが下部可動接点５４とは離間しており、スイッチは上下２段ともオフ状態となっている。この状態から、カバーシート５７が押圧されると、上部可動接点５５が押圧され、膨出部５５ａが下方へ押し下げられることで反転して、膨出部５５ａの下面が下部可動接点５４の膨出部５４ａ上面と接触して両可動接点５４、５５を介して第１及び第２の周辺固定接点５２ｂ、５２ｃが導通して１段目（上部）のスイッチがオン状態となる。
【００１０】
次に更に押圧されると、下部可動接点５４の膨出部５４ａが下方へ押圧され反転して、膨出部５４ａの下面が中央固定接点５２ａと接触して両可動接点５４、５５を介して中央固定接点５２ａと第１周辺固定接点５２ｂが導通して２段目（下部）のスイッチがオン状態となる。このように従来の押釦スイッチではダブルアクションタイプの押釦スイッチが構成されている。
【００１１】
【特許文献１】特開２００３−７１６８号公報
【発明の開示】
【発明が解決しようとする課題】
【００１２】
しかしながら、上述した従来の押釦スイッチの構造においては、可動接点の操作ストロークの異なるバラエティーを用意するためには、複数種類の可動接点を用意しなければならず、形状の複雑な可動接点を操作フィーリングの合わせ込みを行なって形成していた。このため設計及び製造工程が煩雑になり、コスト高になるという問題があった。
【００１３】
したがって、本発明では上述した問題点を解決し、組立が簡単で、操作ストロークの設定が容易な押釦スイッチを提供することを目的とする。
【課題を解決するための手段】
【００１４】
上記課題を解決するために本発明では第１の解決手段として、収納部を有するハウジングと、このハウジングの収納部内に配設された固定接点と、この固定接点と接離する反転可能な膨出部を有する可動接点と、開口部を有し、この開口部を通して前記可動接点が操作されると共に、前記ハウジングの収納部を覆うカバーとを備え、前記可動接点が前記収納部に配設された際に、前記カバーの開口部近傍に、前記可動接点の膨出部を下方へ付勢して前記可動接点の膨出部の高さを規制する規制手段を配置し、この規制手段により被押圧時の前記可動接点の移動ストロークを調整するようにした構成とした。
【００１５】
また、第２の解決手段として、前記規制手段は、前記カバーの開口部周縁を下方に折り曲げて形成した段差部により構成した構成とした。
また、第３の解決手段として、前記ハウジングと前記カバーとの間に防塵シートを備え、前記規制手段は、前記カバーの開口部の全周に渡って形成され、前記可動接点の膨出部を前記防塵シートを介して下方へ付勢した構成とした。
【００１６】
また、第４の解決手段として、前記ハウジングには第１及び第２の可動接点を備え、前記ハウジングの収納部に上下２段に配置されると共に、上側に配置された前記第１の可動接点の膨出部の頂部の裏面と、下側に配置された前記第２の可動接点の膨出部の頂部との間隔を、前記規制手段によって規制することにより被押圧時の前記第１の可動接点の移動ストロークを調整するようにした構成とした。
【発明の効果】
【００１７】
以上説明したように、本発明の押釦スイッチは、収納部を有するハウジングと、ハウジングの収納部内に配設された固定接点と、固定接点と接離する反転可能な膨出部を有する可動接点と、開口部を有し、開口部を通して可動接点が操作されると共に、ハウジングの収納部を覆うカバーとを備え、可動接点が収納部に配設された際に、カバーの開口部近傍に、可動接点の膨出部を下方へ付勢して可動接点の膨出部の高さを規制する規制手段を配置し、規制手段により被押圧時の可動接点の移動ストロークを調整するようにしたことから、規制手段の高さ設定を変えるだけの簡単な構成で形状の複雑な可動接点を操作フィーリングの合わせ込みを行なって形成する必要がなくなるので、所望のストロークを簡単に得ることができる。また、ステムのような押圧部材を設けることなく、スイッチ単体でプリストロークを設けることが可能となる。
【００１８】
また、規制手段は、カバーの開口部周縁を下方に折り曲げて形成した段差部により構成したことから、カバーの一部を利用して直接一体形成でき、取扱いや組立が容易となる。
また、ハウジングとカバーとの間に防塵シートを備え、規制手段は、カバーの開口部の全周に渡って形成され、可動接点の膨出部を防塵シートを介して下方へ付勢したことから、防塵シートを介して開口部の全周で均一に可動接点を押圧でき、可動接点の膨出部の頂部から離れた位置が押圧されても操作ストロークへの影響を抑制できる。
【００１９】
また、ハウジングには第１及び第２の可動接点を備え、ハウジングの収納部に上下２段に配置されると共に、上側に配置された第１の可動接点の膨出部の頂部の裏面と、下側に配置された第２の可動接点の膨出部の頂部との間隔を、規制手段によって規制することにより被押圧時の第１の可動接点の移動ストロークを調整するようにしたことから、ダブルアクションタイプの押釦スイッチのストローク調整を簡単に行なうことができる。
【発明を実施するための最良の形態】
【００２０】
以下、本発明の押釦スイッチの実施形態を図１乃至図８に示す。図１は本発明に係る押釦スイッチを示す平面図、図２は同じく押釦スイッチを示す断面図、図３はハウジングと第１の可動接点の係合状態を示す平面図、図４はハウジングと第１の可動接点の固着状態を示す平面図、図５はハウジングを示す平面図、図６は第１の可動接点を示す平面図、図７は第２の可動接点を示す平面図、図８は粘着シートを示す平面図である。
【００２１】
図において、ハウジング１は、合成樹脂などの絶縁材で内部に収納部１ａを有する外形が方形状で上面が開口された箱形に形成されている。この収納部１ａは、前記ハウジング１中央に凹状に形成された略円形状の基部１ｂと、この基部１ｂに連設され前記ハウジング１の対角線上の四角部に延びる、略方形状の収容凹部１ｃとから形成されている。また、この収容凹部１ｃの側壁部は、前記基部１ｂとの連設部に前壁部に向かって細幅となる傾斜部１ｄと、この傾斜部１ｄから平行に広がる平行部１ｅとで形成されている。また、前記基部１ｂの中央には、一段下がった位置に略円形状の凹溝部１ｆが形成されている。この凹溝部１ｆに後述する第２の可動接点４が収容され、この上面を覆うように前記基部１ｂ及び収容凹部１ｃに後述する第１の可動接点５が収容されるものとなっている。
【００２２】
前記ハウジング１の収納部１ａの内底面中央には、導電性の金属材からなる中央固定接点２ａが、上面側が表出された状態で配設されており、この中央固定接点２ａを挟んで対向する位置には、この中央固定接点２ａより一段突出した状態で、同じく導電性の金属材からなる第１周辺固定接点２ｂが配設されている。また、この第１周辺固定接点２ｂの外側の位置で、前記ハウジング１の対角線上の一方の一対の前記収容凹部１ｃには、更に一段突出した状態で、同じく導電性の金属材からなる第２周辺固定接点２ｃが配設されている。そして、これと交差する他の一対の前記収容凹部１ｃの底面が、前記第２周辺固定接点２ｃの接触面よりも低く形成されたものとなっている。
【００２３】
また、前記ハウジング１の対向する外側面には、前記中央固定接点２ａ、及び第１、第２周辺固定接点２ｂ、２ｃから導出され外方に突出された、機器などの回路基板への接続用の接続端子３ａ、３ｂ、３ｃが形成されている。
【００２４】
第２の可動接点４は、導電性の金属板ばねで小径の円形状に形成されており、中央に反転可能な膨出部４ａを有するドーム状に形成されている。そして、この膨出部４ａの頂部下面が前記中央固定接点２ａと接触する中央接点部となっている。
【００２５】
第１の可動接点５は、同じく導電性の金属板ばねで中央に反転可能な膨出部５ａを有するドーム状に形成され、この膨出部５ａに連続して十字方向に延びる複数の腕部５ｂが形成されて全体として十字形状をしている。また、この腕部５ｂ同士を結ぶ外径が、前記第２の可動接点４の外径よりも大径となるように形成されている。また、前記腕部５ｂの側部は、基端部から先端部に向けて細幅となる傾斜面５ｃで形成されており、この傾斜面５ｃと前記収容凹部１ｃの傾斜部１ｄとが互いにならうように形成されたものとなっている。
【００２６】
前記第２の可動接点４を前記収納部１ａに収納する場合には、ドーム状の膨出部４ａ中央を収納部１ａ中央に配設された前記中央固定接点２ａに対向させて配置すると共に、一対の前記第１周辺固定接点２ｂに第２の可動接点４の周縁部を当接させて載置する。この時、収納部１ａには一段下がった位置に、第２の可動接点４の外周部に沿って略円形状の凹溝部１ｆが形成されており、前記第２の可動接点４はこの凹溝部１ｆに収容されて外周部が位置規制されるものとなる。
【００２７】
また、第２の可動接点４の上面側には、中央に貫通孔６ａが形成された環状の粘着シート６が、前記第２の可動接点４の上面側を覆うように取り付けられており、前記粘着シート６の環状部６ｂを前記第２の可動接点４の周縁部と前記凹溝部１ｆの縁部との全周にわたって接着することにより前記第２の可動接点４を前記凹溝部１ｆに保持するようになっている。
【００２８】
このように、前記凹溝部１ｆによって第２の可動接点４の粘着シート６による貼り付け固定の位置決めを容易に行え、かつ、凹溝部１ｆと第２の可動接点４の外周縁との隙間を粘着シート６によって覆うので、塵埃の侵入を低減することがことができる。また、前記粘着シート６は、片面に粘着層が形成された可撓性を有する樹脂製シートで形成されており、前記第２の可動接点４のドーム状の膨出部４ａが押圧操作によって反転する場合においても、反転動作に追従可能となるように、前記環状部６ｂが前記第２の可動接点４と前記収納部１ａに接着されるものとなっている。
【００２９】
また、前記粘着シート６の貫通孔６ａからは、前記第２の可動接点４の膨出部４ａ頂部が露出することから、前記第１の可動接点５との接触が可能となっており、前記第２の可動接点４の周縁部を、前記粘着シート６の環状部６ｂにより前記収納部１ａに接着保持することにより、第２の可動接点４の周縁部が、常時、前記第１周辺固定接点２ｂと接触することとなり、第２の可動接点４を前記第１の可動接点５とのスイッチングの導通経路として使用することが可能となっている。
【００３０】
前記第１の可動接点５を前記収納部１ａに収納する場合には、前記第１の可動接点５の膨出部５ａ中央を、前記第２の可動接点４の上面を覆うように対向させて配置させると共に、前記上記可動接点５の腕部５ｂを前記収納部１ａの収容凹部１ｃに位置させ、前記腕部５ｂの周縁部を前記第２周辺固定接点２ｃに当接させて載置する。この時、前記腕部５ｂの側部は、基端部から先端部に向けて細幅となる傾斜面５ｃで形成されており、この腕部５ｂの傾斜面５ｃと前記収容凹部１ｃの側壁部の傾斜部１ｄとが互いにならうように形成されていることから、この傾斜面５ｃと傾斜部１ｄとで第１の可動接点５の位置規制がなされるものとなっている。
【００３１】
この場合、前記第１の可動接点５の下側に載置される前記第２の可動接点４は、外径が略円形ドーム状に形成されており、前記第１の可動接点５の十字方向に延びる複数の腕部５ｂ同士を結ぶ外径に対して、小径に形成されていることから、前記第１の可動接点５の腕部５ｂと干渉することなしにハウジング１にレイアウトすることができ、回転方向の位置決めが不要となるため、容易に組み込むことができるものとなっている。
【００３２】
また、前記第２の可動接点４が前記収納部１ａに収納される際、前記収納部１ａに配設された前記第１周辺固定接点２ｂの上面に前記第２の可動接点４の周縁部が当接された状態で載置されるが、前記第１周辺固定接点２ｂを前記中央固定接点２ａよりも一段高く形成してあるので、前記第１周辺固定接点２ｂ上への第２の可動接点４の座りがよく、また、ドーム状の膨出部４ａの反転時の操作ストロークが確保されるため、操作フィーリングが良好となる。
【００３３】
また、前記第２周辺固定接点２ｃと前記第１の可動接点５も同様に、前記第２周辺固定接点２ｃを前記第１周辺固定接点２ｂよりも一段高く形成してあるので、前記第２周辺固定接点２ｃ上への第１の可動接点５の座りがよく、また、ドーム状の膨出部５ａの反転時の操作ストロークが確保されるため、同じく操作フィーリングが良好となる。
【００３４】
前記収納部１ａの開口部には、第１の可動接点５の上面を覆うように略方形状の絶縁性の樹脂シートからなる防塵シート７が取り付けられている。この防塵シート７は、前記第１の可動接点５のドーム状の膨出部５ａ上面に固着されて、第１の可動接点５の周縁部を前記第２周辺固定接点２ｃに当接させており、また、押圧される場合には操作用のシートとして作用すると共に、前記収納部１ａを覆い、上面に取り付けられることにより前記第１の可動接点５の飛び出しや、接点部内への塵埃や静電気などの侵入を防止するものとなっている。
【００３５】
カバー８は、板状の金属板で略方形状に形成され、その中央には大きめの開口部８ａが設けられている。また、側方には垂直に折り曲げられた一対の側板（図示せず）が設けられ、この側板を前記ハウジング１の側面に設けられた係止部（図示せず）に係止することにより、カバー８がハウジング１上面から収納部を覆うように取り付けられている。この時、前記カバー８とハウジング１の間には前記防塵シート７が介在されており、前記開口部８ａ内に前記防塵シート７の一部が露出された状態となっている。
【００３６】
また、前記カバー８の開口部８ａには、開口部８ａ周縁を下方へ折り曲げることにより下方へ突出する段差部８ｂが形成されている。また、この段差部８ｂは可動接点５の膨出部５ａの頂部を含む所定の範囲Ｌを避ける位置に、頂部を中心とした円上に前記開口部８ａの全周にわたって形成されている。この段差部８ｂを設けることにより、カバー８がハウジング１の上面に取り付けられた際に、第１の可動接点５の膨出部５ａの頂部を避けた位置において防塵シート７を介して下方へ付勢するようになっている。すなわち、第１の可動接点５がハウジング１の収納部１ａに収納されたときには、第１の可動接点５には、予めプリストロークが加わった状態となっており、フリー状態の接点高さ（自由長）に対して少し押し込まれた状態となっている。
【００３７】
このように、前記カバー８の開口部８ａ周縁に、第１の可動接点５の膨出部５ａを下方へ付勢して、この第１の可動接点５の膨出部５ａの高さを規制する規制手段としての段差部８ｂが形成されているので、この規制手段の高さ設定を変えることにより被押圧時の第１の可動接点５の移動ストロークを調整できるようになっている。この規制手段の形成位置は、中央固定接点２ａの接点面が投影される第１の可動接点５の膨出部５ａの頂部を含む範囲Ｌを避けて設定している。このことにより、カバー８の開口部８ａを介した押圧操作時に、第２の可動接点４と中央固定接点２ａとの確実な接触導通が得られ、キートップ等の外部押圧部材と規制手段との干渉を避けることができる。
また、この規制手段は、カバー８の開口部８ａ周縁を下方に折り曲げて形成した前記段差部８ｂにより構成したことから、カバー８に直接一体形成でき、取扱いや組立が容易となっている。
更に、段差部８ｂを開口部８ａの全周にわたって形成したので、開口部周縁の強度を向上することができ、外力などによる組立後の移動ストロークの変化を抑制できる。
【００３８】
また、ハウジング１の上面とカバー８との間には防塵シート７が設けられており、カバー８の開口部８ａの全周にわたって形成された前記段差部８ｂによって、第１の可動接点５の膨出部５ａを前記防塵シート７を介して下方へ付勢するようにしているので、防塵シート７を介して開口部８ａの全周で均一に第１の可動接点５を押圧でき、例え第１の可動接点５の膨出部５ａの頂部から離れた位置が押圧されたとしても操作ストロークへの影響を抑制できるものとなっている。
尚、規制手段は必ずしも全周に設ける必要はなく、例えばカバー８の裏面から第１の可動接点５側へ、膨出部５ａの頂部を中心とした円上に等間隔に３個の突起部を形成しても良く、第１の可動接点５を傾くことなく均一に付勢できる。
【００３９】
次に、上記構成の押釦スイッチの動作について説明する。
スイッチが非押圧操作状態では、前記第１の可動接点５の周縁部は前記第２周辺固定接点２ｃと接触しているが、ドーム状の膨出部５ａが前記第２の可動接点４とは離間した状態となっており、また、第２の可動接点４の周縁部は前記第１周辺固定接点２ｂと接触しているが、ドーム状の膨出部４ａが前記中央固定接点２ａとは離間した状態となっており、スイッチは上下の二段ともオフ状態となっている。
【００４０】
この状態から、前記フレーム８の開口部８ａから図示しないキートップなどの操作部で前記防塵シート７が押圧操作されると、防塵シート７の下面側に固着された前記第１の可動接点５の膨出部５ａ上面が押圧されてこの膨出部５ａを下方へ押し下げるものとなる。
【００４１】
この時、前記第１の可動接点５の膨出部５ａが下方へ押圧されることで、前記第１の可動接点５は、前記膨出部５ａが下方へ反転することとなる。このため、前記膨出部５ａの下面が前記第２の可動接点４の膨出部４ａ上面と接触し、上部と第２の可動接点４、５を導通経路として前記第２周辺固定接点２ｃと前記第１固定接点２ｂとが導通されて一段目（上部）のスイッチがオン状態となる。
【００４２】
この場合、前記第１の可動接点５は、膨出部５ａが前記カバー８の開口部８ａ周縁の段差部８ｂによって下方へ付勢されていることから、膨出部５ａの高さが規制され、この付勢によるプリストロークが加わった分だけ反転するまでのストロークを調整することが可能となっている。したがって、このプリストロークを適宜の値に設定することにより、所望の操作ストロークを簡単に得ることができるものとなっている。
また、プリストロークが加わった分だけ、膨出部５ａが反転するまでのストロークを短くすることができるので、第１の可動接点５に押圧操作が繰り返し行なわれた場合においても、第１の可動接点の膨出部５ａに加わる応力が抑制されることになり、動作寿命の長寿命化が図れ、信頼性が向上されるものとなる。
【００４３】
次に、この状態から、更に、キートップが押圧操作されると、前記第１の可動接点５の膨出部５ａ下面により前記第２の可動接点４の膨出部４ａ上面が押され、この膨出部４ａを下方へ押し下げるものとなり、膨出部４ａが下方へ押圧されることで、前記第２の可動接点４は、前記膨出部４ａが下方へ反転することとなる。このため、前記膨出部４ａの下面が前記中央固定接点２ａと接触し、第２の可動接点４を介して前記第１周辺固定接点２ｂと前記中央固定接点２ａとが導通されて二段目（下部）のスイッチがオン状態となる。
【００４４】
このように、キートップで前記防塵シート７を押圧すると、第１の可動接点５が反転して第２の可動接点４と接触することで一段目のスイッチのクリック感と接点の切り換えを行い、更に押し込むことにより第２の可動接点４が反転して中央固定接点２ａと接触することで二段目のクリック感と接点の切り換えを行うものとなり、ダブルアクションの押釦スイッチが得られるものとなる。
【００４５】
この状態から、キートップへの押圧力を解除すると、前記第１及び第２の可動接点４、５の膨出部４ａ、５ａが自身の弾性で反転して初期の状態に復帰すると共に、この際の付勢力によってキートップが上方へ押圧されて初期位置へと復帰するものとなる。この時、前記第１及び第２の可動接点４、５の膨出部４ａ、５ａが反転するのに伴って、前記膨出部４ａ、５ａの下面が、前記第２の可動接点４の上面及び中央固定接点２ａから離間するものとなり、一段目と二段目のスイッチはそれぞれオフ状態となる。
【００４６】
上記した実施例の構成によれば、前記第１の可動接点５が前記ハウジング１の収納部１ａに配設された際には、前記カバー８の開口部８ａ周縁に、前記第１の可動接点５の膨出部５ａを下方へ付勢して、この第１の可動接点５の膨出部５ａの高さを規制する段差部８ｂを形成し、この段差部８ｂにより被押圧時の第１の可動接点５の移動ストロークを調整するようにしているので、前記カバー８の開口部８ａ周縁に段差部８ｂを設けるだけの簡単な構成で良く、形状の複雑な可動接点を操作フィーリングの合わせ込みを行なって形成する必要がなくなるので、所望のストロークを簡単に得ることができるものとなっている。
また、第１の可動接点５のキートップでの押圧操作される範囲を避けた位置に第１の可動接点５を付勢する規制部を設けたので、スイッチ本体内に押釦を設けないものにおいても、確実にプリストロークを設けることができる。
【００４７】
図９及び図１０は、本発明の他の実施例を示し、図９は押釦スイッチの平面図、図１０は押釦スイッチの断面図である。
図９及び図１０に示す押釦スイッチの構成では、第１の可動接点５の膨出部５ａの高さを規制する規制手段の構成が上記実施例と一部相違している。すなわち、本実施例ではカバー８の開口部８ａ周縁には、段差部８ｂは形成されておらず、この代わりにカバー８の裏面と、第１の可動接点５の上面との間に、環状の孔開きスペーサシート９を挟み込む構成となっており、このスペーサシート９の厚みで、第１の可動接点５の膨出部５ａを下方へ付勢して、被押圧時の第１の可動接点５の移動ストロークを調整するようになっている。
【００４８】
このスペーサシート９は、予め、カバー８の裏面と対向する面に接着剤を塗布することでカバー８の裏面に貼り付けておくことによりカバー８と一体的に取り扱うことができるものとなり、組立作業性は良好となる。
【００４９】
本実施例においても、前記第１の可動接点５が前記ハウジング１の収納部１ａに配設された際には、前記カバー８の開口部８ａ近傍に、前記第１の可動接点５の膨出部５ａを下方へ付勢して、この第１の可動接点５の膨出部５ａの高さを規制する規制手段としてのスペーサシート９を配置し、このスペーサシート９により被押圧時の第１の可動接点５の移動ストロークを調整するようにしているので、スペーサシート９の高さ（厚さ）設定を変えるだけの簡単な構成で、形状の複雑な可動接点を操作フィーリングの合わせ込みを行なって形成する必要がなくなるので、所望のストロークを簡単に得ることができるものとなっている。また、ステムのような押圧部材を設けることなく、スイッチ単体でプリストロークを設けることが可能となっている。
【００５０】
尚、上記実施例においては、接点部がダブルアクションタイプの二段構造の押釦スイッチの構造で説明したが、可動接点が前記第１の可動接点５のみで、第２の可動接点４がない、一段タイプの押釦スイッチにも本発明の適用が可能であるのはもちろんである。
【図面の簡単な説明】
【００５１】
【図１】本発明の一実施例である押釦スイッチを示す平面図である。
【図２】本発明の一実施例である押釦スイッチを示す断面図である。
【図３】本発明のハウジングと第１の可動接点の係合状態を示す平面図である。
【図４】本発明のハウジングと第２の可動接点の固着状態を示す平面図である。
【図５】本発明のハウジングを示す平面図である。
【図６】本発明の第１の可動接点を示す平面図である。
【図７】本発明の第２の可動接点を示す平面図である。
【図８】本発明の粘着シートを示す平面図である。
【図９】本発明の他の実施例である押釦スイッチを示す平面図である。
【図１０】本発明の他の実施例である押釦スイッチを示す断面図である。
【図１１】従来の押釦スイッチを示す平面図である。
【図１２】従来の押釦スイッチを示す断面図である。
【符号の説明】
【００５２】
１：ハウジング
１ａ：収納部
１ｂ：基部
１ｃ：収納凹部
１ｄ：傾斜部
１ｅ：平行部
１ｆ：凹溝部
２ａ：中央固定接点
２ｂ：第１周辺固定接点
２ｃ：第２周辺固定接点
３ａ，３ｂ，３ｃ：接続端子
４：第２の可動接点
４ａ：膨出部
５：第１の可動接点
５ａ：膨出部
５ｂ：腕部
５ｃ：傾斜部
６  粘着シート
６ａ：貫通孔
６ｂ：環状部
７：防塵シート
８：カバー
８ａ：開口部
８ｂ：段差部（規制手段）
９：スペーサシート（規制手段）
【図１】
2005056724.tif 000003
【図２】
2005056724.tif 000004
【図３】
2005056724.tif 000005
【図４】
2005056724.tif 000006
【図５】
2005056724.tif 000007
【図６】
2005056724.tif 000008
【図７】
2005056724.tif 000009
【図８】
2005056724.tif 000010
【図９】
2005056724.tif 000011
【図１０】
2005056724.tif 000012
【図１１】
2005056724.tif 000013
【図１２】
2005056724.tif 000014